(57)【要約】【課題】拡大操作により上限倍率に達した後、或いは縮小操作により下限倍率に達した後の操作性を著しく向上させることのできる画像処理装置を提供する。【解決手段】拡大移動ツールを選択可能な拡大移動ツールアイコンと、縮小移動ツールを選択可能な縮小移動ツールアイコンと、画像を移動する移動ツールを選択可能な移動ツールアイコンと、画像中の所定領域を選択する領域選択ツールを選択可能な領域選択ツールアイコンを液晶表示器３に表示し、拡大移動ツールアイコンが選択された際に、ユーザの入力操作に基づいて画像を拡大する処理を行い、上限倍率に達した場合にはアイコン選択を移動ツールアイコンに切り換える。また、縮小移動ツールアイコンが選択された際に、ユーザの入力操作に基づいて画像を縮小する処理を行い、下限倍率に達した場合にはアイコン選択を領域選択ツールアイコンに切り換える。【選択図】      図１
2006146515.tif 000002
【特許請求の範囲】
【請求項１】
画像が表示された画面上で任意の点を指定した際にこの点を基準とした拡大画像を表示する拡大移動ツール、及び任意の点を指定した際にこの点を基準とした縮小画像を表示する縮小移動ツールを備えた画像処理装置において、
前記拡大移動ツールを選択可能な拡大移動ツールアイコンと、前記縮小移動ツールを選択可能な縮小移動ツールアイコンと、前記画面上に表示された画像を所定位置を基準として移動する表示領域移動ツールを選択可能な表示領域移動ツールアイコンと、を前記画面に表示し、
前記拡大移動ツールアイコンが選択された際に、ユーザの入力操作に基づいて前記画像を拡大する処理を行い、上限倍率に達した場合には、アイコン選択を前記表示領域移動ツールアイコンに切り換えることを特徴とする画像処理装置。
【請求項２】
画像が表示された画面上で任意の点を指定した際にこの点を基準とした拡大画像を表示する拡大移動ツール、及び任意の点を指定した際にこの点を基準とした縮小画像を表示する縮小移動ツールを備えた画像処理装置において、
前記拡大移動ツールを選択可能な拡大移動ツールアイコンと、前記縮小移動ツールを選択可能な縮小移動ツールアイコンと、前記画面上に表示された画像中の所定領域を選択する領域選択ツールを選択可能な領域選択ツールアイコンと、を前記画面に表示し、
前記縮小移動ツールアイコンが選択された際に、ユーザの入力操作に基づいて前記画像を縮小する処理を行い、下限倍率に達した場合には、アイコン選択を前記領域選択ツールアイコンに切り換えることを特徴とする画像処理装置。
【請求項３】
画像が表示された画面上で任意の点を指定した際にこの点を基準とした拡大画像を表示する拡大移動ツール、及び任意の点を指定した際にこの点を基準とした縮小画像を表示する縮小移動ツールを備えた画像処理装置において、
前記拡大移動ツールを選択可能な拡大移動ツールアイコンと、前記縮小移動ツールを選択可能な縮小移動ツールアイコンと、前記画面上に表示された画像を所定位置を基準として移動する表示領域移動ツールを選択可能な表示領域移動ツールアイコンと、前記画面上に表示された画像中の所定領域を選択する領域選択ツールを選択可能な領域選択ツールアイコンと、を前記画面に表示し、
前記拡大移動ツールアイコンが選択された際に、ユーザの入力操作に基づいて前記画像を拡大する処理を行い、上限倍率に達した場合には、アイコン選択を前記表示領域移動ツールアイコンに切り換えると共に、
前記縮小移動ツールアイコンが選択された際に、ユーザの入力操作に基づいて前記画像を縮小する処理を行い、下限倍率に達した場合には、アイコン選択を前記領域選択ツールアイコンに切り換えることを特徴とする画像処理装置。
【請求項４】
画像を表示する表示手段と、予め設定された上限倍率及び下限倍率の範囲内で前記画像を拡大する拡大移動ツール、及び前記画像を縮小する縮小移動ツールを備えた画像処理装置において、
前記表示手段の画面上に前記画像を表示すると共に、前記拡大移動ツールを選択可能な拡大移動ツールアイコン、前記縮小移動ツールを選択可能な縮小移動ツールアイコン、前記表示手段の画面上に表示された画像を所定位置を基準として移動する表示領域移動ツールを選択可能な表示領域移動ツールアイコン、前記表示手段の画面上に表示された画像中の所定領域を選択する領域選択ツールを選択可能な領域選択ツールアイコンを前記画面上に表示し、前記各アイコンのうちのいずれかのアイコンが指定された際に、このアイコンに対応するツール動作を制御するツール制御手段と、
前記画面上に表示された前記画像中の任意点、及び前記画面上に表示された各アイコンを選択する入力手段と、
前記入力手段により前記画像上で指定された座標を検出する座標検出手段と、を備え、
前記ツール制御手段は、前記拡大移動ツールアイコンが選択されている際に前記座標検出手段で画像上での点が指定された際には、この点を基準とした拡大画像を生成して表示すると共に、拡大率が前記上限倍率に達した場合には、選択アイコンを前記表示領域移動ツールアイコンに切り換え、
前記縮小移動ツールアイコンが選択されている際に前記座標検出手段で画像上での点が指定された際には、この点を基準とした縮小画像を生成して表示すると共に、縮小率が前記下限倍率に達した場合には、選択アイコンを前記領域選択ツールに切り換えることを特徴とする画像処理装置。
【請求項５】
前記ツール制御手段は、前記拡大移動ツールにより画像の表示倍率が前記上限倍率に達した場合には、前記拡大移動ツールアイコンを操作不可表示とし、前記縮小移動ツールにより画像の表示倍率が前記下限倍率に達した際には、前記縮小移動ツールアイコンを操作不可表示とすることを特徴とする請求項４に記載の画像処理装置。
【請求項６】
前記入力手段は、表示画面上の点を直接指定するタッチパネルであることを特徴とする請求項４または請求項５のいずれかに記載の画像処理装置。
【請求項７】
前記表示手段に表示する画像は、原稿画像データであり、前記上限倍率は前記原稿画像データを原寸大表示した大きさであり、前記下限倍率は前記原稿画像を全体表示した大きさであることを特徴とする請求項４〜請求項６のいずれか１項に記載の画像処理装置。
【発明の詳細な説明】
【技術分野】
【０００１】
本発明は、拡大移動ツール及び縮小移動ツールを備えた画像処理装置に係り、特に拡大移動ツール或いは縮小移動ツール操作後の、アイコン選択操作を容易にする技術に関する。
【背景技術】
【０００２】
例えば、印刷装置では原稿となる画像データを修飾する際にデジタイザと称する画像処理装置を用いる。画像処理装置は、表示画面上に原稿画像を表示し、更に、画面上に表示される拡大、縮小、移動、或いは領域指定等の各種のアイコンを用いて表示を変化させながら、画像データに網掛けや枠線等の修飾を加える機能を備えている。例えば、画像を拡大表示する際には、拡大移動ツールアイコンをマウス操作或いはタッチパネル操作により選択し、この状態で画像上の任意の点を指定すると、この点を中心とした１段階倍率の大きい画像に拡大される。
【０００３】
例えば、倍率５０％の画像が表示されているときに上記の操作を行うと、１段階倍率の大きい７５％の画像に拡大される。従って、画像上で任意の点を指定する操作（拡大操作）を繰り返すと、表示倍率が段階的に大きくなり、最終的に上限倍率に達した時点で、拡大処理が不能となる。通常この上限倍率は、原稿画像と等倍（原寸大）の大きさに設定されており、これ以上拡大操作を行っても、画像は原寸大以上には拡大されない。
【０００４】
また、画像を縮小表示する際には、縮小移動ツールアイコンをマウス操作或いはタッチパネル操作により選択し、この状態で画像上の任意の点を指定すると、この点を中心とした１段階倍率の小さい画像に縮小される。
【０００５】
例えば、倍率５０％の画像が表示されているときに上記の操作を行うと、１段階倍率の小さい２５％の画像に縮小される。従って、画像上で任意の点を指定する操作（縮小操作）を繰り返すと、表示倍率が段階的に小さくなり、最終的に下限倍率に達した時点で、縮小処理が不能となる。通常この下限倍率は、原稿画像を全体表示する大きさに設定されており、これ以上縮小操作を行っても、画像は全体表示画像以下には縮小されない。
【０００６】
ここで、上記したように、拡大移動ツールアイコンを選択して拡大操作を行うと、上限倍率に達した時点で拡大処理が不能となるが、ユーザはこれに気づかずに拡大操作を継続して行ってしまう場合がある。従って、ユーザは何度か拡大操作を行い、これ以上表示倍率が拡大されないことを認識してから、次の操作に移ることになり操作性が悪い。
【０００７】
同様に、縮小移動ツールアイコンを選択して縮小操作を行うと、下限倍率に達した時点で縮小処理が不能となるが、ユーザはこれに気づかずに縮小操作を継続して行ってしまうことがあるので、ユーザは何度か縮小操作を行い、表示倍率が下限倍率に達していることを認識してから次の操作に移ることになるので操作性が悪い。
【０００８】
また、特開平８−１８５２６５号公報（特許文献１）には、画像拡大時或いは画像縮小時の操作性を向上させるために、タッチパネルへの１回目のタッチでアイコンを拡大表示し、大きなアイコンを用いることによる２回目のタッチで、容易に所望するアイコンを選択して、画像の拡大操作或いは縮小操作を容易に行うことができる技術が開示されている。
【特許文献１】特開平８−１８５２６５号公報
【発明の開示】
【発明が解決しようとする課題】
【０００９】
上述したように、従来における画像処理装置では、上限倍率及び下限倍率が設定されている場合に、ユーザが拡大操作、或いは縮小操作を繰り返した際に、既に上限倍率或いは下限倍率に達しており、これ以上拡大処理或いは縮小処理ができないにも関わらず、操作を継続してしまうことがあり操作性が悪いという問題が発生していた。
【００１０】
また、特許文献１に開示された技術では、拡大移動ツールアイコン或いは縮小移動ツールアイコンを拡大表示することにより、アイコンの選択を容易にすることができるものの、上記の問題を根本的に解決するものではない。
【００１１】
本発明は、このような従来の課題を解決するためになされたものであり、その目的とするところは、拡大操作により上限倍率に達した後、或いは縮小操作により下限倍率に達した後の操作性を著しく向上させることのできる画像処理装置を提供することにある。
【課題を解決するための手段】
【００１２】
上記目的を達成するため、本願請求項１に記載の発明は、画像が表示された画面上で任意の点を指定した際にこの点を基準とした拡大画像を表示する拡大移動ツール、及び任意の点を指定した際にこの点を基準とした縮小画像を表示する縮小移動ツールを備えた画像処理装置において、前記拡大移動ツールを選択可能な拡大移動ツールアイコンと、前記縮小移動ツールを選択可能な縮小移動ツールアイコンと、前記画面上に表示された画像を所定位置を基準として移動する表示領域移動ツールを選択可能な表示領域移動ツールアイコンと、を前記画面に表示し、前記拡大移動ツールアイコンが選択された際に、ユーザの入力操作に基づいて前記画像を拡大する処理を行い、上限倍率に達した場合には、アイコン選択を前記表示領域移動ツールアイコンに切り換えることを特徴とする。
【００１３】
請求項２に記載の発明は、画像が表示された画面上で任意の点を指定した際にこの点を基準とした拡大画像を表示する拡大移動ツール、及び任意の点を指定した際にこの点を基準とした縮小画像を表示する縮小移動ツールを備えた画像処理装置において、前記拡大移動ツールを選択可能な拡大移動ツールアイコンと、前記縮小移動ツールを選択可能な縮小移動ツールアイコンと、前記画面上に表示された画像中の所定領域を選択する領域選択ツールを選択可能な領域選択ツールアイコンと、を前記画面に表示し、前記縮小移動ツールアイコンが選択された際に、ユーザの入力操作に基づいて前記画像を縮小する処理を行い、下限倍率に達した場合には、アイコン選択を前記領域選択ツールアイコンに切り換えることを特徴とする。
【００１４】
請求項３に記載の発明は、画像が表示された画面上で任意の点を指定した際にこの点を基準とした拡大画像を表示する拡大移動ツール、及び任意の点を指定した際にこの点を基準とした縮小画像を表示する縮小移動ツールを備えた画像処理装置において、前記拡大移動ツールを選択可能な拡大移動ツールアイコンと、前記縮小移動ツールを選択可能な縮小移動ツールアイコンと、前記画面上に表示された画像を所定位置を基準として移動する表示領域移動ツールを選択可能な表示領域移動ツールアイコンと、前記画面上に表示された画像中の所定領域を選択する領域選択ツールを選択可能な領域選択ツールアイコンと、を前記画面に表示し、前記拡大移動ツールアイコンが選択された際に、ユーザの入力操作に基づいて前記画像を拡大する処理を行い、上限倍率に達した場合には、アイコン選択を前記表示領域移動ツールアイコンに切り換えると共に、前記縮小移動ツールアイコンが選択された際に、ユーザの入力操作に基づいて前記画像を縮小する処理を行い、下限倍率に達した場合には、アイコン選択を前記領域選択ツールアイコンに切り換えることを特徴とする。
【００１５】
請求項４に記載の発明は、画像を表示する表示手段と、予め設定された上限倍率及び下限倍率の範囲内で前記画像を拡大する拡大移動ツール、及び前記画像を縮小する縮小移動ツールを備えた画像処理装置において、前記表示手段の画面上に前記画像を表示すると共に、前記拡大移動ツールを選択可能な拡大移動ツールアイコン、前記縮小移動ツールを選択可能な縮小移動ツールアイコン、前記表示手段の画面上に表示された画像を所定位置を基準として移動する表示領域移動ツールを選択可能な表示領域移動ツールアイコン、前記表示手段の画面上に表示された画像中の所定領域を選択する領域選択ツールを選択可能な領域選択ツールアイコンを前記画面上に表示し、前記各アイコンのうちのいずれかのアイコンが指定された際に、このアイコンに対応するツール動作を制御するツール制御手段と、前記画面上に表示された前記画像中の任意点、及び前記画面上に表示された各アイコンを選択する入力手段と、前記入力手段により前記画像上で指定された座標を検出する座標検出手段と、を備え、前記ツール制御手段は、前記拡大移動ツールアイコンが選択されている際に前記座標検出手段で画像上での点が指定された際には、この点を基準とした拡大画像を生成して表示すると共に、拡大率が前記上限倍率に達した場合には、選択アイコンを前記表示領域移動ツールアイコンに切り換え、前記縮小移動ツールアイコンが選択されている際に前記座標検出手段で画像上での点が指定された際には、この点を基準とした縮小画像を生成して表示すると共に、縮小率が前記下限倍率に達した場合には、選択アイコンを前記領域選択ツールに切り換えることを特徴とする。
【００１６】
請求項５に記載の発明は、前記ツール制御手段は、前記拡大移動ツールにより画像の表示倍率が前記上限倍率に達した場合には、前記拡大移動ツールアイコンを操作不可表示とし、前記縮小移動ツールにより画像の表示倍率が前記下限倍率に達した際には、前記縮小移動ツールアイコンを操作不可表示とすることを特徴とする。
【００１７】
請求項６に記載の発明は、前記入力手段は、表示画面上の点を直接指定するタッチパネルであることを特徴とする。
【００１８】
請求項７に記載の発明は、前記表示手段に表示する画像は、原稿画像データであり、前記上限倍率は前記原稿画像データを原寸大表示した大きさであり、前記下限倍率は前記原稿画像を全体表示した大きさであることを特徴とする。
【発明の効果】
【００１９】
本願請求項１の発明では、拡大移動アイコンを選択して拡大移動ツールによる画像拡大処理を行う際に、表示倍率が上限倍率に達すると、選択されるアイコンが拡大移動ツールアイコンから表示領域移動ツールアイコンに自動的に切り換えられるので、これ以上画像を拡大表示できないことをユーザに気づかせることができる。また、ユーザが次に選択すると予想される表示領域移動ツールが自動的に選択されるので、ユーザは表示領域移動ツールアイコンを選択する必要がなく、操作性を著しく向上させることができる。
【００２０】
請求項２の発明では、縮小移動アイコンを選択して縮小移動ツールによる画像縮小処理を行う際に、表示倍率が下限倍率に達すると、選択されるアイコンが縮小移動ツールアイコンから領域選択ツールアイコンに自動的に切り換えられるので、これ以上画像を縮小表示できないことをユーザに気づかせることができる。また、ユーザが次に選択すると予想される領域選択ツールが自動的に選択されるので、ユーザは領域選択ツールアイコンを選択する必要がなく、操作性を著しく向上させることができる。
【００２１】
本願請求項３，４の発明では、拡大移動アイコンを選択して拡大移動ツールによる画像拡大処理を行う際に、表示倍率が上限倍率に達すると、選択されるアイコンが拡大移動ツールアイコンから表示領域移動ツールアイコンに自動的に切り換えられ、他方、縮小移動アイコンを選択して縮小移動ツールによる画像縮小処理を行う際に、表示倍率が下限倍率に達すると、選択されるアイコンが縮小移動ツールアイコンから領域選択ツールアイコンに自動的に切り換えられるので、拡大処理或いは縮小処理の後にユーザが選択すると予想されるアイコンを自動的に選択することができ、操作性を著しく向上させることができる。
【００２２】
請求項５の発明では、画像の表示倍率が上限倍率に達した際には、拡大移動ツールアイコンを操作不可表示とし、且つ、画像の表示倍率が下限倍率に達した際には、縮小移動ツールアイコンを操作不可表示とするので、ユーザは画像拡大操作、或いは画像縮小操作ができないことを即時に認識することができる。
【００２３】
請求項６の発明では、表示手段の表示画面上での座標を入力する入力手段としてタッチパネルを用いるので、ユーザは表示画面上で直接所望する位置の座標データの入力することができ、また、拡大率、縮小率が上限、下限に達した場合には、次に選択すると予想されるアイコンが自動選択されるので、タッチパネル上での座標入力の操作性を向上させることができる。
【００２４】
請求項７の発明では、表示手段３に表示する画像を原稿画像とし、この原稿画像を全体表示する際の表示倍率を最小表示倍率とし、原稿画像を原寸大表示する際の表示倍率を最大表示倍率とするので、ユーザは全体表示画面、及び原寸大表示画面であることを容易に認識することができる。
【発明を実施するための最良の形態】
【００２５】
以下、本発明の実施形態を図面に基づいて説明する。図１は、本発明の一実施形態に係る画像処理装置の構成を示すブロック図である。同図に示す画像処理装置１は、例えば印刷装置の原稿となる画像データを拡大、縮小しながら網掛けや枠線などの修飾パターンを加える機能を備えており、画像を表示する液晶表示器（ＬＣＤ；表示手段）３と、該液晶表示器３の画面上でユーザによる接触操作（例えば、指によるタッチ）を検出するタッチパネル（入力手段）４とを備えている。そして、液晶表示器３は例えば図２に示すように、画面全体に画像を表示すると共に、下辺部に各種のアイコン或いは情報を表示する。
【００２６】
更に、この画像処理装置１は、座標検出部（座標検出手段）７と、入力処理部（ツール制御手段）１１と、表示データ記憶部９と、領域データ記憶部８と、倍率算出部５と、表示領域算出部１０と、表示処理部６と、ＣＰＵ２を備えている。
【００２７】
座標検出部７は、タッチパネル４上でユーザによる接触操作が検出された際に、この接触点の座標を検出し、更に、検出した座標を表示データ記憶部９に記憶されている印刷対象となる画像データ上のディジタル座標データに変換する。
【００２８】
入力処理部１１は、液晶表示器３の表示領域の所定位置に各種のツールを選択するためのアイコン或いは表示情報を表示する。例えば、図２に示すように画面の下辺部にアイコン或いは表示情報を表示する。同図に示すＡ１は全体表示ボタンを示し、Ａ２は縮小移動ボタンを示し、Ａ３は拡大移動ボタンを示し、Ａ４は倍率表示を示し、Ａ５は移動ボタンを示し、Ａ６は領域選択ボタンを示し、Ａ７は領域作成ボタンを示している。そして、タッチパネル４により液晶表示器３上の所望のアイコンが選択された際に、このアイコンに対応するツールの処理を行う。また、該入力処理部１１には、拡大移動ツール、縮小移動ツール、移動ツール（表示領域移動ツール）、領域選択ツール、全体表示ツール、及び領域作成ツールを動作させるためのプログラムが記憶されており、タッチパネル４で所望のアイコン（Ａ１〜Ａ３、Ａ５〜Ａ７）が選択されると、このアイコンに対応するツールを動作させるプログラムを実行する。
【００２９】
図２に示す全体表示ボタンＡ１は、このボタンを選択することにより全体表示ツールを動作させ、液晶表示器３に画像データ全体を表示する。本実施形態では、全体表示時の倍率が最小倍率となるように設定されており、このときの表示倍率が例えば２５％とされている。
【００３０】
縮小移動ボタンＡ２は、このボタンを選択することにより縮小移動ツールを動作させ、画像上でユーザが指定した点を中心として、現時点よりも１段階表示倍率が小さくなる画像を表示する。
【００３１】
拡大移動ボタンＡ３は、このボタンを選択することにより拡大移動ツールを動作させ、画像上でユーザが指定した点を中心として、現時点よりも１段階表示倍率が大きくなる画像を表示する。
【００３２】
倍率表示Ａ４は、現在の表示倍率を表示する。本実施形態では予め設定された４段階の倍率２５％、５０％、７５％、１００％の倍率で、表示倍率を変化させることができる。
【００３３】
移動ボタンＡ５は、このボタンを選択することにより移動ツールを動作させ、画像上でユーザが指定した点が中心となるように、表示画像領域を移動させて表示する。
【００３４】
領域選択ボタンＡ６は、このボタンを選択することにより領域選択ツールを動作させ、予め選択されている画像中の領域、或いは後述の領域作成ツールを用いて選択された画像中の領域を選択状態とする。
【００３５】
領域作成ボタンＡ７は、このボタンを選択することにより領域作成ツールを動作させ、画像上でユーザが指定した複数の点間を連結した範囲を一つの領域として設定する。そして、上記の領域選択ボタンＡ６を操作することによりこの領域を選択状態とすることができる。また、選択状態とされた領域は、この領域について網掛け、枠線等の修飾パターンの書き込み等の各種編集作業を行うことができる。例えば、領域作成ツールを用いて図２中の符号Ａ８に示す領域を選択し、且つ、領域選択ツールを用いてこの領域Ａ８内の任意の点を接触操作により指定すると、この領域Ａ８が選択状態となりこの領域について、網掛け、枠線を書き込む等の編集作業を行うことができる。
【００３６】
また、図１に示す表示データ記憶部９は、液晶表示器３に表示する画像データを記憶する。領域データ記憶部８は、表示データ記憶部９に記憶されている画像データ中の位置をディジタル座標で位置決めし、更に上記の領域作成ツールにより画像データ中の領域が設定された際に、この領域データを記憶する。
【００３７】
表示領域算出部１０は、入力処理部１１で移動ツール、拡大移動ツール、或いは縮小移動ツールのうちのいずれかが選択され、且つタッチパネル４で表示画面上の所望の点が指定された際に、この指定された点を中心とした表示領域を算出する。
【００３８】
倍率算出部５は、入力処理部１１で拡大移動ツール或いは縮小移動ツールのうちのいずれかが選択され、且つタッチパネル４で表示画面上の所望の点が指定された際に、液晶表示器３に表示する画像の倍率を段階的に変化させる処理を行う。例えば、表示倍率として２５％、５０％、７５％、１００％の４通りが設定され、拡大移動ツールが選択されている場合には、タッチパネル４による任意点の指定操作により、１段階表示倍率を増加する処理を行い、縮小移動ツールが選択されている場合には、タッチパネル４による任意点の指定操作により、１段階倍率を減少させる処理を行う。
【００３９】
表示処理部６は、表示領域算出部１０で算出された全画像データ中の表示領域となる画像を表示データ記憶部９から抽出し、且つ倍率算出部５で算出された表示倍率となるように、抽出した画像データを液晶表示器３にて表示する処理を行う。
【００４０】
ＣＰＵ２は、図示しないＲＯＭ等に記憶されているシステムプログラムを起動し、画像処理装置１全体を総括的に制御する。
【００４１】
次に、上述のように構成された本実施形態に係る画像処理装置の動作を図３〜図５に示すフローチャートを参照して説明する。
【００４２】
図３は、タッチパネル４を用いて液晶表示器３の画面上の座標を指定する際の処理手順を示すフローチャートである。液晶表示器３に画像が表示されている際に、ユーザが画像中の所定の点に触れると（ステップＳＴ１）、座標検出部７によりこの点の位置座標が検出され、更に検出されたアナログ座標データを、印刷対象となる画像データ上のディジタル座標データに変換する（ステップＳＴ２）。その結果、ユーザが指定した点の印刷対象となる画像データ上でのディジタル座標データを得ることができる。
【００４３】
図４は、液晶表示器３に画像を表示する際の処理手順を示すフローチャートである。まず、表示処理部６は、表示領域算出部１０で算出された表示領域に基づいて、この表示領域の画像データを表示データ記憶部９から抽出する（ステップＳＴ１１）。次いで、抽出した画像データを液晶表示器３の表示領域に合わせて表示する（ステップＳＴ１２）。その結果、表示対象となる画像データを液晶表示器３にて表示することができる。
【００４４】
図５は、各種ツールを起動させたときの、画像処理装置１による処理手順を示すフローチャートである。まず、ユーザがタッチパネル４で液晶表示器３に表示されている画像上の、任意の点を指定するべく接触操作を行うと、座標検出部７によりこの指定位置の座標が検出され、検出した座標データが印刷対象となる画像上のディジタル座標データに変換されて入力処理部１１に送られる（ステップＳＴ２１）。
【００４５】
次いで、入力処理部１１は、現時点で移動ツールが指定されているか否かを判別し（ステップＳＴ２２）、移動ツールが指定されている場合には（ステップＳＴ２２でＹＥＳ）、指定位置の座標が画面の中心となるように、表示データ記憶部９に記憶されている全画像データから、表示対象となる領域を算出して表示する処理を行う（ステップＳＴ２３）。
【００４６】
即ち、表示領域算出部１０は、ユーザによる指定位置の座標に基づいて、この座標を中心とした画像データを表示データ記憶部９に記憶されている全画像データから抽出し、抽出した画像データを表示処理部６に送る。そして、表示処理部６は、この画像データを液晶表示器３に表示する。その結果、液晶表示器３の画面上には、指定位置の座標が画面の中心となるように移動した画像が表示されることになる。
【００４７】
また、移動ツールが指定されていない場合には（ステップＳＴ２２でＮＯ）、入力処理部１１は現時点で拡大移動ツールが指定されているか否かを判別する（ステップＳＴ２４）。そして、拡大移動ツールが指定されている場合には（ステップＳＴ２４でＹＥＳ）、倍率算出部５にて新たな表示倍率が算出される（ステップＳＴ２５）。本実施形態では、上述したように表示倍率として段階的に２５％、５０％、７５％、１００％の４通りが設定されているので、例えば現時点の表示倍率が５０％である場合には、倍率が１段階大きい７５％が選択される。
【００４８】
次いで、座標検出部７で検出された指定位置の座標に基づいて、この座標を中心とした新たな倍率となる画像データの表示領域を算出し（ステップＳＴ２６）、この表示領域となる画像データを表示データ記憶部９より抽出し、抽出した画像データを表示処理部６に送る。そして、表示処理部６は、この画像データを液晶表示器３に表示する。その結果、液晶表示器３には、１段階拡大され、且つ画像の中心位置がユーザが指定した位置となる画像が表示される。
【００４９】
その後、入力処理部１１は、新たな倍率（１段階拡大した後の倍率）が最大倍率（この例では１００％）であるか否かを判別し（ステップＳＴ２７）、最大倍率でなければ（ステップＳＴ２７でＮＯ）そのまま処理を終了する。他方、最大倍率であれば（ステップＳＴ２７でＹＥＳ）、指定するツールを現在の拡大移動ツールから移動ツールへ変更する（ステップＳＴ２８）。
【００５０】
つまり、拡大移動処理を繰り返し、表示倍率が最大倍率に達した場合には、これ以上表示倍率を大きくすることができないので、ユーザが次に操作を行うと予想される移動ツールにアイコン選択を切り換える。これにより、図６（ａ）に示すように、拡大移動アイコンが反転表示されていた状態から、同図（ｂ）に示すように、移動ツールアイコンが反転表示される状態に自動的に切り換えられ、現在選択されているツールが移動ツールアイコンであることが容易に認識できる。
【００５１】
その結果、ユーザは表示倍率が最大倍率に達したことを即時に気づくことができ、何度も拡大移動操作を行うという不要な操作の繰り返しを防止できる。また、この際拡大移動ツールアイコンをグレーアウト表示（操作不可表示）とすれば、ユーザはこの拡大移動ツールアイコンを選択できないことを容易に認識でき、不要な操作を行うことをより効果的に防止することができる。
【００５２】
他方、拡大移動ツールが指定されていない場合には（ステップＳＴ２４でＮＯ）、入力処理部１１は現時点で縮小移動ツールが指定されているか否かを判別する（ステップＳＴ２９）。そして、縮小移動ツールが指定されている場合には（ステップＳＴ２９でＹＥＳ）、倍率算出部５にて新たな表示倍率が算出される（ステップＳＴ３０）。例えば現時点の表示倍率が５０％である場合には、倍率が１段階小さい２５％が選択される。
【００５３】
次いで、座標検出部７で検出された指定位置の座標に基づいて、この座標を中心とした新たな倍率となる画像データの表示領域を算出し（ステップＳＴ３１）、この表示領域となる画像データを表示データ記憶部９より抽出し、抽出した画像データを表示処理部６に送る。そして、表示処理部６は、この画像データを液晶表示器３に表示する。その結果、液晶表示器３には、１段階縮小され、且つ画像の中心位置がユーザが指定した位置となる画像が表示される。
【００５４】
その後、入力処理部１１は、新たな倍率（１段階縮小した後の倍率）が最小倍率（この例では２５％）であるか否かを判別し（ステップＳＴ３２）、最小倍率でなければ（ステップＳＴ３２でＮＯ）そのまま処理を終了する。他方、最小倍率であれば（ステップＳＴ３２でＹＥＳ）、指定するツールを現在の縮小移動ツールから領域選択ツールへ変更する（ステップＳＴ３３）。
【００５５】
つまり、縮小移動処理を繰り返し、表示倍率が最小倍率に達した場合には、これ以上表示倍率を小さくすることができないので、ユーザが次に操作を行うと予想される領域選択ツールにアイコン選択を切り換える。これにより、図７（ａ）に示すように、縮小移動アイコンが反転表示されていた状態から、同図（ｂ）に示すように、領域選択ツールアイコンが反転表示される状態に自動的に切り換えられ、現在選択されているツールが領域選択ツールアイコンであることが容易に認識できる。
【００５６】
その結果、ユーザは表示倍率が最小倍率に達したことを即時に気づくことができ、何度も縮小移動操作を行うという不要な操作の繰り返しを防止できる。また、この際縮小移動ツールアイコンをグレーアウト表示（操作不可表示）とすれば、ユーザはこの縮小移動ツールアイコンを選択できないことを容易に認識でき、不要な操作を行うことをより効果的に防止することができる。
【００５７】
また、縮小移動ツールが指定されていない場合には（ステップＳＴ２９でＮＯ）、現時点で領域選択ツールが選択されているか否かが判別され（ステップＳＴ３４）、領域選択ツールが選択されている場合には（ステップＳＴ３４でＹＥＳ）、領域データ記憶部８に記憶されている領域データから、入力されたディジタル座標が示す領域を選択する処理を行う（ステップＳＴ３５）。
【００５８】
他方、領域選択ツールが選択されていない場合には（ステップＳＴ３４でＮＯ）、その他の選択されているツールの処理を行う（ステップＳＴ３６）。
【００５９】
このようにして、本実施形態に係る画像処理装置１では、拡大移動ツールを指定して液晶表示器３に表示されている画像を拡大表示させる操作を繰り返して行った場合、表示倍率が最大倍率に達した時点で、これ以上の拡大処理を行わず選択アイコンを自動的に拡大移動ツールから、ユーザが次の操作で選択すると予想されるツールとしての移動ツールに切り換える。従って、ユーザは拡大操作を何度も繰り返すことにより、これ以上拡大できないことを認識し、その後次の操作で用いる移動ツールに切り換えるという煩わしい操作を行うことがなく、極めて操作性を向上させることができる。
【００６０】
同様に、縮小移動ツールを指定して液晶表示器３に表示されている画像を拡大表示させる操作を繰り返して行った場合、表示倍率が最小倍率に達した時点で、これ以上の縮小処理を行わず選択アイコンを自動的に縮小移動ツールから、ユーザが次の操作で選択すると予想されるツールとしての領域選択ツールに切り換える。従って、ユーザは縮小操作を何度も繰り返すことにより、これ以上縮小できないことを認識し、その後次の操作で用いる領域選択ツールに切り換えるという煩わしい操作を行うことがなく、操作性を向上させることができる。
【００６１】
また、拡大操作により表示倍率が最大倍率に達した際に、拡大移動アイコンをグレーアウト（操作不可表示）し、また、縮小操作により表示倍率が最小倍率に達した際に、縮小移動アイコンをグレーアウトすれば、ユーザはこれらのアイコンを指定することができないことを即時に認識することができる。
【００６２】
更に、液晶表示器３に表示された画像上での座標を入力する入力手段として、タッチパネルを用いるので、画面上での直接的な座標入力操作が可能となり、且つ何度も同一箇所を指或いはタッチペンで触れるという不要な操作を回避でき、操作性を向上させることができる。
【００６３】
また、液晶表示器３に表示する画像を原稿画像とし、この原稿画像を全体表示する際の表示倍率を最小表示倍率とし、原稿画像を原寸大表示する際の表示倍率を最大表示倍率とするので、ユーザは全体表示画面、及び原寸大表示画面であることを容易に認識することができる。
【００６４】
以上、本発明の画像処理装置を図示の実施形態に基づいて説明したが、本発明はこれに限定されるものではなく、各部の構成は、同様の機能を有する任意の構成のものに置き換えることができる。
【００６５】
例えば、上記した実施形態では、画像の表示倍率が最大倍率となった場合に、自動的にコマンド選択を拡大移動ツールから移動ツールに切り換え、且つ、画像の表示倍率が最小倍率となった場合に、自動的にコマンド選択を縮小移動ツールから領域選択ツールに切り換える処理を行う例を説明したが、本発明は、このうち少なくとも一方の処理を行うことにより効果を達成することができる。
【００６６】
また、上記した実施形態では、入力手段としてタッチパネル４を用いる場合を例に挙げたが、本発明はこれに限定されるものではなく、マウス等を用いて入力する場合についても適用することができる。
【００６７】
更に、上記した実施形態では、表示倍率が２５〜１００％の４段階に切り換えられる場合について説明したが、本発明はこれに限定されるものではなく、その他の倍率についても同様に適用することができる。
【００６８】
また、上記した実施形態では、移動ツール、拡大移動ツール、及び縮小移動ツールを操作した際に、ユーザがタッチパネル４で指定した画像上の点が中心となるように画像を移動、或いは拡大、縮小処理する場合を例に挙げたが、本発明はユーザが指定した点が何らかの基準となるように画像を移動、或いは拡大、縮小すれば良いものであり、中心に限定されるものではない。
【産業上の利用可能性】
【００６９】
画像を拡大、或いは縮小する操作を行う際の操作性を向上する上で極めて有用である。
【図面の簡単な説明】
【００７０】
【図１】本発明の一実施形態に係る画像処理装置の構成を示すブロック図である。
【図２】液晶表示器に示される画像及びアイコンの表示例を示す説明図である。
【図３】本発明の一実施形態に係る画像処理装置の、座標入力処理の処理手順を示すフローチャートである。
【図４】本発明の一実施形態に係る画像処理装置の、液晶表示器に画像を表示する際の処理手順を示すフローチャートである。
【図５】本発明の一実施形態に係る画像処理装置の、各種ツールを選択したときの画像処理手順を示すフローチャートである。
【図６】拡大移動ツールが選択されたとき、及び移動ツールが選択されたときの画面上のアイコンの表示状態を示す説明図である。
【図７】縮小移動ツールが選択されたとき、及び領域選択ツールが選択されたときの画面上のアイコンの表示状態を示す説明図である。
【符号の説明】
【００７１】
１  画像処理装置
２  ＣＰＵ
３  液晶表示器（表示手段）
４  タッチパネル（入力手段）
５  倍率算出部
６  表示処理部
７  座標検出部（座標検出手段）
８  領域データ記憶部
９  表示データ記憶部
１０  表示領域算出部
１１  入力処理部（ツール制御手段）
【図１】
2006146515.tif 000003
【図２】
2006146515.tif 000004
【図３】
2006146515.tif 000005
【図４】
2006146515.tif 000006
【図５】
2006146515.tif 000007
【図６】
2006146515.tif 000008
【図７】
2006146515.tif 000009